(57)【要約】【課題】  任意の枚数の紙葉類を繰り出すことができるだけでなく、低コストで、かつ、設置場所を選ばない紙葉類の繰出し装置を提供する。【解決手段】  積み重ねられた多数枚の紙葉類１０，１０…を収納し、かつ、紙葉類を排出するスリット状の排出口２８を形成したケース２０と、前記排出口２８付近に配置され、前記紙葉類１０を上下両面から挟む押圧駆動ローラ３０および送出駆動ローラ４０と、該送出駆動ローラ４０に近接した位置で前記紙葉類１０の下面を支承し、送出駆動ローラ４０の回転と連動し、かつ、送出駆動ローラ４０の回転と同じ方向に回転するフィードローラ５０と、前記送出駆動ローラ４０から離隔した位置で前記紙葉類１０の下面を支承し、送出駆動ローラ４０およびフィードローラ５０の回転と連動し、かつ、フィードローラの回転よりもわずかに速い速度かつ同じ方向に回転するピックアップローラ６０とが備えられている。【選択図】  図８
2006151547.tif 000002
【特許請求の範囲】
【請求項１】
積み重ねられた多数枚の紙葉類を収納し、かつ、紙葉類を排出するスリット状の排出口を形成したケースと、
前記排出口付近に配置され、前記紙葉類を上下両面から挟む押圧駆動ローラおよび送出駆動ローラと、
該送出駆動ローラに近接した位置で前記紙葉類の下面を支承し、送出駆動ローラの回転と連動し、かつ、送出駆動ローラの回転と同じ方向に回転するフィードローラと、
前記送出駆動ローラから離隔した位置で前記紙葉類の下面を支承し、送出駆動ローラおよびフィードローラの回転と連動し、かつ、フィードローラの回転よりもわずかに速い速度で同じ方向に回転するピックアップローラとが備えられていることを特徴とする紙葉類の繰出し装置。
【請求項２】
前記送出駆動ローラおよび前記フィードローラの各回転軸にベルト車またはギアが固定され、各ベルト車に掛け渡されるベルトまたは各ギアに噛み合う中間ギアによって、前記送出駆動ローラと前記フィードローラとが同じ方向に回転するようにされていることを特徴とする請求項１に記載の紙葉類の繰出し装置。
【請求項３】
原動プーリが前記送出駆動ローラまたはフィードローラの回転軸に固定され、前記原動プーリよりも小さな径の従動プーリが前記ピックアップローラの回転軸に固定され、ベルトが両プーリに掛け渡されていることを特徴とする請求項１または２に記載の紙葉類の繰出し装置。
【請求項４】
上面を撓曲させた支承部が前記ケースの底部に備えられていることを特徴とする請求項１から３のいずれか一つに記載の紙葉類の繰出し装置。
【請求項５】
前記ピックアップローラを上方へ付勢する挙揚手段が備えられていることを特徴とする請求項１から４のいずれか一つに記載の紙葉類の繰出し装置。
【請求項６】
前記押圧駆動ローラを前記送出駆動ローラの方に付勢する押圧手段が備えられていることを特徴とする請求項１から５のいずれか一つに記載の紙葉類の繰出し装置。
【請求項７】
前記押圧駆動ローラまたは送出駆動ローラの回転軸に前記押圧駆動ローラまたは送出駆動ローラを回転させる摘みが固定されていることを特徴とする請求項１から６のいずれか一つに記載の紙葉類の繰出し装置。
【請求項８】
前記ケース内の紙葉類上に載せる重しが備えられていることを特徴とする請求項１から７のいずれか一つに記載の紙葉類の繰出し装置。
【発明の詳細な説明】
【技術分野】
【０００１】
本発明は、公営競技で使用される投票カードその他の紙葉類をケース内に多数枚積み重ねて収納し、この紙葉類を１枚ないし例えば４，５枚程度を限度として繰り出すことができるようにした紙葉類の繰出し装置に関する。
【背景技術】
【０００２】
例えば、公営競技で使用される投票カード（以下、主として「カード」という。）は、投票場において、多数枚が積み重ねられた状態で常備されている。そして、投票するユーザが適当な枚数のカードを取って、所定欄に記入する。カードは積み重ねられていることから、１枚ないし数枚だけ取ろうとすると、手間取り、並んでいる人を待たせることになる。したがって、カードが必要以上、例えば束状に掴んで取られ、結局、記入されないことがある。しかし、記入されなかったカードは、廃棄されるため、経費および資源の無駄使いとなる。
【０００３】
そこで、カードを１枚ずつ引き出すことができるようにした「紙葉類自動払い出し方法および装置」が特許文献１に開示されている。この装置は、昇降台、昇降用モータ、繰り出しローラなどを備えている。昇降台は、多数枚のカードを積み重ねた状態で保持する。昇降用モータは、昇降台上の最上位のカードが繰り出しローラに当接するように昇降台を上昇させる。繰り出しローラは、上端部に設けられたカードの取出し口とほぼ同じ高さに配置され、最上位のカードを回転摩擦によって取出し口の方へ繰り出す。最上位から２枚目のカードは取出し口へ繰り出されず、最上位のカードのみが１枚ずつ取出し口から突出し、この１枚のカードが効率よく抜き取られる。
【０００４】
【特許文献１】特開平８−２０４５２号公報
【発明の開示】
【発明が解決しようとする課題】
【０００５】
特許文献１に開示された装置は、昇降用モータなどが備えられ、製造コストが高く、多数設置するには不向きであるだけでなく、電源が必要であるため、設置する場所も限定される。また、カードは１枚しか繰り出すことができず、４〜５枚必要なユーザにとっては不便である。
【０００６】
そこで、本発明は、任意の枚数の紙葉類を繰り出すことができるだけでなく、低コストで、かつ、設置場所を選ばない紙葉類の繰出し装置を提供することを課題とする。
【課題を解決するための手段】
【０００７】
本発明に係る紙葉類の繰出し装置は、積み重ねられた多数枚の紙葉類を収納し、かつ、紙葉類を排出するスリット状の排出口を形成したケースと、前記排出口付近に配置され、前記紙葉類を上下両面から挟む押圧駆動ローラおよび送出駆動ローラと、該送出駆動ローラに近接した位置で前記紙葉類の下面を支承し、送出駆動ローラの回転と連動し、かつ、送出駆動ローラの回転と同じ方向に回転するフィードローラと、前記送出駆動ローラから離隔した位置で前記紙葉類の下面を支承し、送出駆動ローラおよびフィードローラの回転と連動し、かつ、フィードローラの回転よりもわずかに速い速度で同じ方向に回転するピックアップローラとが備えられていることを特徴としている。
【０００８】
この紙葉類の繰出し装置によれば、積み重ねられた状態でケース内に収納された多数枚の紙葉類が各ローラによって１枚ないし例えば４，５枚程度を限度として繰り出すことができるようにされている。すなわち、ケース内に収納された多数枚の紙葉類のうち、最下の１枚の紙葉類の下面が排出口側の先端側でフィードローラに支承され、奥端側でピックアップローラに支承されている。この最下の１枚の紙葉類が排出口から繰り出されると、紙葉類との摩擦力によって押圧駆動ローラと送出駆動ローラとが回転する。
【０００９】
すると、フィードローラとピックアップローラも連動して回転し、この回転によって最下の１枚の紙葉類が排出口の方へ押し出される。このとき、ピックアップローラは、フィードローラよりもわずかに早く回転するため、最下の紙葉類は、奥端側が先端側よりも速く押され、撓んだ状態となり、下から２枚目の紙葉類との間に隙間が生じる。したがって、最下の紙葉類と下から２枚の紙葉類との間に摩擦力が生じず、下から２枚目の紙葉類は、最下の紙葉類に引っ張られずに、当初の位置を維持している。
【００１０】
しかし、最下の紙葉類の奥端側がピックアップローラよりも排出口の方へ前進すると、下から２枚目の紙葉類の奥端側がピックアップローラに支承される状態となる。このときも、最下の紙葉類が繰り出され、送出駆動ローラおよびフィードローラが回転していることから、ピックアップローラも連動して回転し、下から２枚目の紙葉類の奥端側が排出口の方へ押し出され、２枚目の紙葉類は、撓んだ状態となって前進する。
【００１１】
そして、最下の紙葉類が押圧駆動ローラと送出駆動ローラとの間から完全に外れるまで繰り出されると、押圧駆動ローラと送出駆動ローラの回転が停止し、この停止に連動して、フィードローラとピックアップローラも停止する。すると、下から２枚目の紙葉類は、最下の紙葉類となって停止し、排出口の間から突出した状態となる。
【００１２】
排出口から複数枚、例えば５枚の紙葉類が階段状に突出している場合において、ユーザが５枚の紙葉類を掴んで引き出すと、前記各ローラが回転する。すなわち、下から５枚目の紙葉類が押圧駆動ローラと送出駆動ローラから完全に外れるまで、下から６枚目より上側の紙葉類が前記のようにフィードローラとピックアップローラとによって排出口の方へ押し出される。このようにして、ケース内の紙葉類は、例えば５枚ごとに繰り出される。
【００１３】
また、前記紙葉類の繰出し装置において、前記送出駆動ローラおよび前記フィードローラの各回転軸にベルト車またはギアが固定され、各ベルト車に掛け渡されるベルトまたは各ギアに噛み合う中間ギアによって、前記送出駆動ローラと前記フィードローラとが同じ方向に回転するようにされていることが好ましい。
【００１４】
この紙葉類の繰出し装置によれば、送出駆動ローラとフィードローラとは、ベルトまたは中間ギアによって、同じ方向に回転する。すなわち、送出駆動ローラおよびフィードローラの各回転軸にベルト車が固定され、この両ベルト車にベルトが掛け渡されることにより、送出駆動ローラとフィードローラとが連動して同一方向に回転する。なお、ベルトは、滑りがないタイミングベルトを使用することが好ましい。また、送出駆動ローラおよびフィードローラの各回転軸にギアが固定され、この両ギアに噛み合う中間ギアによって、送出駆動ローラとフィードローラとが連動して同一方向に回転するようにすることもできる。
【００１５】
また、前記紙葉類の繰出し装置において、原動プーリが前記送出駆動ローラまたはフィードローラの回転軸に固定され、前記原動プーリよりも小さな径の従動プーリが前記ピックアップローラの回転軸に固定され、ベルトが両プーリに掛け渡されていることが好ましい。
【００１６】
この紙葉類の繰出し装置によれば、送出駆動ローラまたはフィードローラの回転軸に固定された原動プーリと、ピックアップローラの回転軸に固定された従動プーリとにベルトが掛け渡されることにより、送出駆動ローラまたはフィードローラの回転力がピックアップローラに伝達され、ピックアップローラは送出駆動ローラまたはフィードローラに連動して同じ方向に回転する。そして、従動プーリの径が原動プーリの径よりも小さくされることにより、換言すれば、原動プーリの径が従動プーリの径よりも大きくされることにより、ピックアップローラは送出駆動ローラおよびフィードローラよりもわずかに速く回転する。
【００１７】
また、前記紙葉類の繰出し装置において、上面を撓曲させた支承部が前記ケースの底部に備えられていることが好ましい。
【００１８】
この紙葉類の繰出し装置によれば、最下の紙葉類は、フィードローラとピックアップローラとが回転することによって排出口の方へ押し出されるが、ピックアップローラがフィードローラよりもわずかに速く回転することにより、下方向に撓む状態となる。この撓んだ紙葉類の下面は、支承部に支承されることにより、撓みすぎないようにすることができるとともに、紙葉類が支承部に当接した部分の反力が紙葉類を排出口の方へ押し出す力となる。また、撓んだ状態で繰り出される紙葉類の曲率よりも支承部の曲率のほうが小さくされることにより、紙葉類と支承部とは、ほぼ線接触し、摩擦力を小さくすることができる。なお、支承部の曲率は、全長にわたって一定である必要はない。
【００１９】
また、前記紙葉類の繰出し装置において、前記ピックアップローラを上方へ付勢する挙揚手段が備えられていることが好ましい。
【００２０】
この紙葉類の繰出し装置によれば、ピックアップローラが挙揚手段によって上方へ付勢される。したがって、ピックアップローラ上の紙葉類の枚数が多く、ピックアップローラに大きな荷重が加えられているときは、挙揚手段は下方へ変位し、ピックアップローラ上の紙葉類の枚数が少なく、ピックアップローラ上に小さな荷重が加えられているときは、挙揚手段は上方へ変位する。挙揚手段によって、ピックアップローラは紙葉類の枚数に応じて変位し、一定の荷重が加えられる。したがって、紙葉類とピックアップローラとの間には、一定の摩擦力が生じ、ピックアップローラ上の紙葉類の奥端側は、確実に排出口の方へ押し出される。
【００２１】
また、紙葉類の繰出し装置において、前記押圧駆動ローラを前記送出駆動ローラの方に付勢する押圧手段が備えられていることが好ましい。
【００２２】
この紙葉類の繰出し装置によれば、押圧駆動ローラが押圧部材によって送出駆動ローラの方に付勢されることにより、繰り出される紙葉類は枚数に関係なく、一定の押圧力によって押圧駆動ローラと送出駆動ローラとに挟まれる。したがって、この両駆動ローラに挟まれている紙葉類が引き出されると、両駆動ローラは、紙葉類との間の一定の摩擦力により、滑ることなく確実に回転する。
【００２３】
また、前記紙葉類の繰出し装置において、前記押圧駆動ローラまたは送出駆動ローラの回転軸に前記押圧駆動ローラまたは送出駆動ローラを回転させる摘みが固定されていることが好ましい。
【００２４】
この紙葉類の繰出し装置によれば、多数枚の積み重ねられた紙葉類がケース内に収納された直後において、紙葉類の先端側が排出口から突出していない状態や、紙葉類が詰まったりした状態において、摘みを回すことにより、押圧駆動ローラおよび送出駆動ローラが回転し、フィードローラやピックアップローラが連動することより、紙葉類を排出口から強制的に繰り出すようにすることができる。
【００２５】
また、前記紙葉類の繰出し装置において、前記ケース内の紙葉類上に載せる重しが備えられていることが好ましい。
【００２６】
この紙葉類の繰出し装置によれば、ケース内に収納されている紙葉類の枚数が少なくなったときや、ケースが傾斜して設置される場合のように、紙葉類がフィードローラやピックアップローラに加える荷重が小さい場合であっても、重しによってフィードローラやピックアップローラに荷重が加えられることにより、フィードローラやピックアップローラは、紙葉類との間に摩擦力が生じ、空回りすることなく、確実に紙葉類を繰り出すようにすることができる。
【発明の効果】
【００２７】
本発明によれば、押圧駆動ローラ、送出駆動ローラ、フィードローラそしてピックアップローラによって、積み重ねられた状態でケース内に収納された多数枚の紙葉類から１枚ないし例えば４，５枚程度の必要な枚数のみ繰出すことができる。したがって、紙葉類が束状に取られることがなく、無駄に廃棄されないことから、資源の有効利用を図ることができる。しかも、繰り出される紙葉類は、１枚だけでなく、例えば４，５枚程度とすることができるため、ユーザも煩わしさなどの不便を感じることなく、紙葉類を繰り出すことができる。
【００２８】
また、本発明に係る紙葉類の繰出し装置は、電源を必要としないことから、任意の場所に設置することができる。さらに、複雑な電子回路などを組み込む必要がなく、製造費を低廉にすることができる。したがって、多数枚の紙葉類が常備され、任意の枚数の紙葉類が繰り出される様々な分野において、この紙葉類の繰り出し装置を普及させることができる。
【発明を実施するための最良の形態】
【００２９】
本発明に係る紙葉類の繰出し装置の一実施形態について図１から図９を参照しながら説明する。この紙葉類の繰出し装置は、積み重ねられた多数枚の紙葉類（カード）１０，１０…を収納するケース２０と、このケース２０内の底部に配置される押圧駆動ローラ３０、送出駆動ローラ４０、フィードローラ５０、そしてピックアップローラ６０などを備えている。
【００３０】
ケース２０は、図１に示すように、正面側を開口したケース本体２１と、このケース本体２１の開口した正面側を開閉する蓋体２２と、ケース本体２１の底部内に着脱自在に挿入されるユニット体２３とを組み合わせて構成されている。ケース本体２１は、カード１０，１０…の幅でコ字形に折り曲げた側板２１ａと、この側板２１ａの上下を塞ぐ天板２１ｂおよび底板（図示せず）とからなり、側板２１ａの中間部の外面には、４つの係合突起２１ｃ，２１ｃ（２つのみ図示）が突設されている。さらに、両側板２１ａ，２１ａの底部２１ｄ，２１ｄ間は、カード１０の幅よりも広く拡幅されている。また、ケース本体２１の天板２１ｂと蓋体２２とが蝶番（図示せず）によって連結されている。
【００３１】
そして、蓋体２２は、ケース本体２１の拡幅された側板２１ａ，２１ａの底部２１ｄ，２１ｄ間を塞がない長さに形成されている。さらに、蓋体２２の中心部の上下方向には、カード１０，１０…の残量を確認するための長孔２２ａが形成されている。
【００３２】
このようなケース２０は、図２に示すように、複数個（図２では４個）を並列させる基台７０上に設置される。この基台７０は、長方形状の基板７１の表面に枠状の複数の仕切板７２が突設され、裏面に台形状の複数枚の傾斜板７３が突設され、基板７１が傾斜姿勢となるようにされている。基板７１には、前記ケース本体２１の側板２１ａに突設された係合突起２１ｃ，２１ｃ…を係合する係合穴（図示せず）が形成されている。したがって、ケース２０は、図１および図２の仮想線に示すように、蓋体２２が斜め上向きとなるようにセットされるが、ここでは、特記しない限り、蓋体２２が真横向きとなり、ユニット体２３がケース２０の下側に位置しているとして説明する。
【００３３】
ユニット体２３は、ケース本体２１内の底部内に挿入され、蓋体２２よりも突出する大きさとされている。このユニット体２３は、図３ないし図５に示すように、四角形状の外枠部２４と、この外枠部２４との間に間隔を空けて内側に配置されるコ字形の内枠部２５と、この内枠部２５内を上下に隔絶する支承部２６と、外枠部２４と内枠部２５との間を上端縁で塞ぐコ字形の上板部２７を有している。支承部２６は、カード１０の下面と密着しないように円弧状に撓曲した板状の部材によって構成されている。なお、支承部２６は、板状の部材に替え、上端縁が円弧状に撓曲した２本以上のレール状の部材によって構成することもできる。
【００３４】
このようなユニット体２３は、内枠部２５が形成されていない側（以下、「奥端側」という。）がケース本体２１の奥側になるようにケース本体２１の底部内に挿入される。ユニット体２３の外端側は、蓋体２２よりも突出し、外枠部２４の外端側には、カード１０，１０…を例えば５枚まで排出するスリット状の排出口２８が形成されている。すなわち、排出口２８の上下の外枠部２４が、カード１０，１０…を６枚以上排出しないようにする邪魔板として作用する。
【００３５】
このようなユニット体２３内に前記各ローラ３０，４０，５０，６０が平行に配置される。すなわち、排出口２８付近にカード１０，１０…を上下両面から挟む押圧駆動ローラ３０と送出駆動ローラ４０とが配置されている。この押圧駆動ローラ３０と送出駆動ローラ４０は、ケース２０内で積み重ねられたカード１０，１０…を挟みながら排出口２８の方へ排出するように上下方向に配置されている。
【００３６】
送出駆動ローラ４０の回転軸４１の両端部は、ベアリング（図示せず）によって外枠部２４に回転自在に取り付けられている。この回転軸４１の一方の端部付近であって、外枠部２４の内側には、ベルト車（以下、「原動ベルト車」という。）４２が固定されている。原動ベルト車４２は、滑りがないタイミングベルト車を使用することが好ましいが、各種のプーリを使用することができる。さらに、原動ベルト車４２に替え、原動ギア（図示せず）を固定することもできる。
【００３７】
そして、一方の外枠部２４から押圧駆動ローラ３０または送出駆動ローラ４０の回転軸３１，４１が突出し、この突出している部分に押圧駆動ローラ３０または送出駆動ローラ４０を強制的に回転させるための摘み４３が固定されている。ここでは、送出駆動ローラ４０の回転軸４１に摘み４３が固定されているとして説明する。
【００３８】
押圧駆動ローラ３０は、図６に示すような押圧手段３２によって送出駆動ローラ４０の方に付勢される。押圧手段３２は、押圧駆動ローラ３０の回転軸３１の両端部に取り付けられたベアリング３３を保持するホルダー３４と、このホルダー３４とユニット体２３の上板部２７との間に介在するバネ３５、例えば圧縮コイルバネとを備えている。このバネ３５のバネ力によって押圧駆動ローラ３０が送出駆動ローラ４０の方へ付勢され、両駆動ローラ３０，４０に挟まれたカード１０，１０…が繰り出されると、摩擦力によって両駆動ローラ３０，４０が連動して反対方向に回転するようにされている。
【００３９】
両駆動ローラ３０，４０は、カード１０，１０…を傷付けず、かつ、滑らないような材質、例えば、紙やすりのようなざらざらしたものやゴムなどによって形成され、各回転軸の中心１ヶ所または２ヶ所以上に固定される。
【００４０】
このような押圧駆動ローラ３０および送出駆動ローラ４０と平行に、フィードローラ５０が配置されている。フィードローラ５０は、カード１０，１０…を前記押圧駆動ローラ３０および送出駆動ローラ４０の方へ繰り出すローラで、カード１０，１０…が滑らないような材質で形成され、あるいは、ギザギザを有する形状とされている。このフィードローラ５０も前記押圧駆動ローラ３０および送出駆動ローラ４０と同様、回転軸５１の中心１ヶ所または２ヶ所以上に固定されている。
【００４１】
このフィードローラ５０が配置される部位の支承部２６には、切欠部が形成されている。そして、フィードローラ５０の回転軸５１は、ベアリング５４によって回転自在に外枠部２４に取り付けられている。
【００４２】
また、フィードローラ５０の回転軸５１の端部であって、前記送出駆動ローラ４０の回転軸４１に固定された原動ベルト車４２または原動ギアと同じ側には、ベルト車（以下、「従動ベルト車」という。）５２または従動ギア（図示せず）が固定されている。この従動ベルト車５２または従動ギアは、ユニット体２３の外枠部２４と内枠部２５との間に配置される。前記原動ベルト車４２がタイミングベルト車である場合は、従動ベルト車５２もタイミングベルト車が使用されることはいうまでもない。
【００４３】
各回転軸４１，５１に原動ベルト車４２と従動ベルト車５２とが固定される場合は、両ベルト車４２，５２にタイミングベルトのようなベルト４５が掛け渡される。そして、送出駆動ローラ４０が回転することにより、原動ベルト車４２が回転し、この回転力がベルト４５を介して従動ベルト車５２に伝達され、フィードローラ５０が送出駆動ローラ４０の回転と同じ方向に回転するようにされている。両ベルト車４２，５２の径が同じとされることにより、フィードローラ５０は送出駆動ローラ４０と同じ速度で回転するが、両ローラ５０，４０は、必ずしも同じ速度で回転する必要はない。
【００４４】
また、各回転軸４１，５１に図示しない原動ギアと従動ギアとが固定される場合は、両ギアと噛み合う中間ギア（図示せず）が配置される。この中間ギアによって、従動ギアは原動ギアと同じ方向に回転する。両ギアが同じ径で同じ歯数とされることにより、フィードローラ５０は送出駆動ローラ４０と同じ速度で回転するが、両ローラ５０，４０は、必ずしも同じ速度で回転する必要はない。なお、中間ギアの回転軸は、ユニット体２３の外枠部２４に回転自在に取り付けられる。
【００４５】
そして、フィードローラ５０の回転軸５１には、図４に示すように、原動プーリ５３も固定されている。原動プーリ５３は、外枠部２４と内枠部２５との間に配置されるため、前記従動ベルト車５２または原動ギアを固定していない側の回転軸５１の端部に固定することが好ましいが、同じ側の回転軸５１の端部に固定してもよい。
【００４６】
このようなフィードローラ５０と平行にピックアップローラ６０がユニット体２３の奥側に配置されている。ピックアップローラ６０の回転軸６１は、ベアリング（図示せず）によって回転自在に挙揚手段６３に取り付けられ、ピックアップローラ６０が上方に付勢されている。挙揚手段６３は、揺動体６４や圧縮コイルバネなどのバネ６５などによって構成されている。
【００４７】
揺動体６４は、外枠部２４と内枠部２５との間に配置される２本の平行なアーム６４ａと、このアーム６４ａの先端側を連結したバー６４ｂとによってコ字形に形成されている。アーム６４ａの基端部は、軸によって外枠部２４に回転自在に取り付けられている。アーム６４ａの先端部には、ピックアップローラ６０の回転軸６１がベアリング（図示せず）によって回転自在に取り付けられている。
【００４８】
このピックアップローラ６０は、繰り出されているカード１０，１０…を排出口２８の方へ押し出すもので、カード１０，１０…が滑らないような材質で形成され、あるいは、ギザギザを有する形状に形成されている。ピックアップローラ６０も回転軸６１の中心１ヶ所または２ヶ所以上に固定され、ピックアップローラ６０が配置される部位の支承部２６には、切欠部が形成されている。
【００４９】
そして、外枠部２４の下端縁には、揺動体６４のバー６４ｂと対向する舌片２４ａが突設され、この舌片２４ａと揺動体６４のバー６４ｂとの間に、バネ６５が介在している。このバネ６５により、揺動体６４は、アーム６４ａの基端部側の軸を中心軸にバー６４ｂが上方に付勢される。ただし、ピックアップローラ６０上には、積み重ねられたカード１０，１０…が載せられるため、カード１０，１０…の重さによって、バネ６５が圧縮される。すなわち、バネ６５は、カード１０，１０…が多く、大きな荷重が加えられると、大きく圧縮し、カード１０，１０…が少なく、小さな荷重が加えられると、小さく圧縮されるため、積み重ねられているカード１０，１０…の枚数に関係なく、ピックアップローラ６０には一定の荷重が加えられる。
【００５０】
また、ピックアップローラ６０の回転軸６１には、前記原動プーリ５３と同じ側の端部に従動プーリ６２が固定されている。この従動プーリ６２は、原動プーリ５３よりも外径がわずかに小さくされている。このような従動プーリ６２と原動プーリ５３とにベルト５６が掛け渡され、原動プーリ５３が回転すると、従動プーリ６２が回転するようにされている。ただし、従動プーリ６２は、外径が原動プーリ５３よりもわずかに小さくされていることから、原動プーリ５３よりもわずかに速く回転する。したがって、ピックアップローラ６０はフィードローラ５０よりもわずかに速く回転する。
【００５１】
以上のように、各ローラ３０，４０，５０，６０を取り付けたユニット体２３がケース本体２１の底部内に挿入されることによって組み込まれ、このケース本体２１が基台７０上に傾斜した姿勢で設置される。そして、蓋体２２が開けられ、ケース本体２１内に積み重ねられた多数枚のカード１０，１０…が収納される。カード１０，１０…は傾斜した姿勢となっているため、カード１０，１０…の荷重は、ケース本体２１の側板２１ａの中間部の方とユニット体２３の方とに分解して考えることができる。
【００５２】
したがって、ユニット体２３の支承部２６の切欠部から突出しているフィードローラ５０とピックアップローラ６０とには、積み重ねられたカード１０，１０…の全荷重が加えられず、カード１０，１０…の枚数が少なくなっても、フィードローラ５０とピックアップローラ６０に適切な荷重を加えるための重し８０が最上のカード１０に載せられる。
この重し８０は、図７に示すように、例えば円柱状の錘８１と、この錘８１を保持するホルダー８２などから構成される。ホルダー８２は、平板部８３と、この平板部８３の一端側で錘８１を収納する収納部８４と、平板部８３の他端側で収納部８４と同じ方向に突出する取っ手８５と、平板部の裏面側で平行に突出する複数本（図面では４本）のリブ８６，８６…とを備えている。錘８１がケース本体２１の奥側に配置され、リブ８６，８６…が最上のカード１０を押圧する。カードは１０は、錘８１によって特に奥側がフィードローラ６０に押し付けられるようにされている。
【００５３】
本紙葉類の繰出し装置は、以上のように構成され、次に使用方法について説明する。まず、積み重ねた多数枚のカード１０，１０…をケース本体２１内に収納し、最上のカード１０上に重し８０を載せ、蓋体２２を閉じる。この状態では、最下のカード１１の下面は、先端側がフィードローラ５０に支承され、奥端側がピックアップローラ６０に支承された状態となっており、図８（ａ）に示すように、いずれのカード１０，１０…も排出口２８から繰り出されていない。
【００５４】
そして、摘み４３を回すと、送出駆動ローラ４０の回転軸４１および原動ベルト車４２が回転し、この回転力がベルト４５によって従動ベルト車５２に伝達されることにより、従動ベルト車５２およびフィードローラ５０が回転する。さらに、フィードローラ５０の回転軸５１に固定された原動プーリ５３が回転し、この回転力がベルト５６によって従動プーリ６２に伝達され、ピックアップローラ６０が回転する。このフィードローラ５０およびピックアップローラ６０の回転により、最下のカード１１が排出口２８の方へ繰り出される。
【００５５】
ただし、従動プーリ６２の径が原動プーリ５３の径よりもわずかに小さくされ、従動プーリ６２が原動プーリ５３よりも少しだけ早く回転することにより、ピックアップローラ６０がフィードローラ５０よりもわずかに早く回転する。したがって、フィードローラ５０上に支承されている最下のカード１１の先端側よりもピックアップローラ６０上に支承されているカード１１の奥端側の方が速く送られ、カード１１は図８（ｂ）に示すように、撓んだ状態となる。
【００５６】
撓んだカード１１の中間部は、支承部２６に当接し、撓みすぎないで、反力を受ける。この反力は、カード１１を排出口２８の方へ繰り出すように作用する。また、支承部２６の曲率は、撓んだカード１１の曲率よりも小さくされていることから、カード１１の下面全面が支承部２６に接合せず、カード１１の下面と支承部２６との摩擦力が小さくされることから、カードはスムーズに排出口２８の方へ繰り出される。
【００５７】
そして、最下のカード１１の先端側は図８（ｃ）に示すように、押圧駆動ローラ３０および送出駆動ローラ４０に挟まれ、排出口２８から突出する。排出口２８から突出した最下のカード１１の先端側は、ユーザに摘まれて繰り出される。ただし、摘み４３を回し続けて、最下のカード１１を繰り出すこともできる。
【００５８】
この最下のカード１１がピックアップローラ６０から外れると、ピックアップローラ６０上には、下から２枚目のカード１２が載せられた状態となる。最下のカード１１が押圧駆動ローラ３０と送出駆動ローラ４０との間から外れるまでは、押圧駆動ローラ３０と送出駆動ローラ４０だけでなく、フィードローラ５０とピックアップローラ６０も回転し続けるため、ピックアップローラ６０上の下から２枚目のカード１２の奥端側が排出口２８の方へ押し出される。
【００５９】
下から２枚目のカード１２の奥端側がピックアップローラ６０よりも前進すると、下から３枚目のカード１３がピックアップローラ６０上に載せられた状態となる。このように、ピックアップローラ６０が回転している間中、ピックアップローラ６０上のカード１０の奥端側が排出口２８の方へ押し出される。
【００６０】
そして、最下のカード１１が図９（ａ）に示すように、押圧駆動ローラ３０と送出駆動ローラ４０との間から外れた状態となると、押圧駆動ローラ３０と送出駆動ローラ４０が停止し、フィードローラ５０とピックアップローラ６０も停止することから、ピックアップローラ６０上のカードの１０奥端側も排出口２８の方へ押し出されなくなり、カード１０の繰出しは終了する。なお、図９では、ピックアップローラ６０は、カード１０から離隔した状態に模式的に描いてあるが、実際は、カード１０がピックアップローラ６０上に載せられて接合している。
【００６１】
そして、ユーザが１枚のカード１０のみ繰り出したいときは、最下の１枚のカード１１の先端側を摘んで引っ張る。すると、前記のように押圧駆動ローラ３０、送出駆動ローラ４０、フィードローラ５０そしてピックアップローラ６０が回転し、各カード１０，１０…が排出口２８の方へ繰り出される。引っ張られた１枚のカード１１が押圧駆動ローラ３０と送出駆動ローラ４０との間から外れると、両駆動ローラ３０，４０は停止するため、前記のようにカード１１の繰出しは終了する。
【００６２】
また、ユーザが複数枚、例えば５枚のカード１１，１２…１５を繰り出したいときは、図９（ｂ）に示すように下から５枚のカード１１，１２…１５を指Ｆで摘んで引っ張る。すると、下から５枚目のカード１５が押圧駆動ローラ３０と送出駆動ローラ４０との間から外れるまで、押圧駆動ローラ３０、送出駆動ローラ４０、フィードローラ５０そしてピックアップローラ６０が回転し、各カード１１，１２…１５を排出口２８の方へ押し出す。すなわち、下から５枚目のカード１５が押圧駆動ローラ３０と送出駆動ローラ４０との間から外れると、両駆動ローラ３０，４０は停止するため、図９（ｃ）に示すようにカード１１，１２…１５の繰出しは終了する。
【００６３】
ユーザがカード１０，１０…を10枚必要としているときは、再度、前記のように５枚のカード１０，１０…を繰り出す。このようにして、ケース本体２１内のカード１０，１０…は、必要な枚数以上に繰り出されることはなく、必要な枚数のみ繰り出される。
【００６４】
ケース内のカード１０，１０…が減少していくと、カード１０，１０…によってフィードローラ５０やピックアップローラ６０に加えられる荷重が小さくなる。しかし、最上のカード１０，１０…には重し８０が載せられ、また、ピックアップローラ６０は、挙揚手段６３によって上方に付勢されている。したがって、フィードローラ５０やピックアップローラ６０は空回りすることなく、カード１０，１０…を摩擦力によって排出口２８の方へ押し出すことができる。
【００６５】
なお、本発明は、前記の実施形態に限定することなく、特許請求の範囲に記載した技術的事項の範囲内において種々変更することができる。例えば、ピックアップローラ６０をフィードローラ５０の方へ近接させることにより、下から２枚目のカード１０は、ピックアップローラ６０がフィードローラ５０から離隔しているときよりも長時間繰り出されることがなく、排出口２８から繰り出されるカード１０，１０…の枚数を少なくすることができる。このように、カード１０,１０は、２，３枚のみ繰り出され、あるいは、逆に、６，７枚以上繰出すようにすることができる。また、ピックアップローラ６０は、挙揚手段６３によって上方に付勢されず、例えば、回転軸６１が外枠部２４に回転自在に保持されるようにしてもよい。
【００６６】
また、原動プーリ５３、従動プーリ６２およびベルト５６は、原動ギア、従動ギアおよび中間ギアに替えることもできる。また、ユニット体２３は、押圧駆動ローラ３０の回転軸３１、送出駆動ローラ４０の回転軸４１、フィードローラ５０の回転軸５１の各端部を、ベアリングを介して保持するフレームによって構成し、排出口２８は、蓋体２２に形成するようにすることもできる。
【００６７】
さらに、この紙葉類の繰出し装置で使用するカードは、公営競技で使用される投票カード以外に、懸賞応募用の葉書など多数枚が常備されるものであれば、限定するものではない。
【図面の簡単な説明】
【００６８】
【図１】本発明に係る紙葉類の繰出し装置の一実施形態を示す概略全体斜視図である。
【図２】本発明に係る紙葉類の繰出し装置を構成している基台の概略斜視図である。
【図３】本発明に係る紙葉類の繰出し装置を構成しているユニット体を上側から見た概略斜視図である。
【図４】本発明に係る紙葉類の繰出し装置を構成しているユニット体を下側から見た概略斜視図である。
【図５】（ａ）は本発明に係る紙葉類の繰出し装置を構成しているユニット体の側面断面図であり、（ｂ）は同じく底面図である。
【図６】本発明に係る紙葉類の繰出し装置を構成しているユニット体の押圧手段の正面断面図である。
【図７】本発明に係る紙葉類の繰出し装置を構成している重しの概略斜視図である。
【図８】（ａ）は本発明に係る紙葉類の繰出し装置によって紙葉類が繰り出される前の状態を示す概略図であり、（ｂ）は同じく最下の紙葉類が繰り出され始めている状態を示す概略図であり、（ｃ）は同じく最下の紙葉類が排出口から繰出されたときの状態を示す概略図である。
【図９】（ａ）は本発明に係る紙葉類の繰出し装置によって複数枚の紙葉類が繰り出されている状態を示す概略図であり、（ｂ）は同じく５枚の紙葉類を繰り出すときの状態を示す概略図であり、（ｃ）は同じく５枚の紙葉類が排出口から繰出されたときの状態を示す概略図である。
【符号の説明】
【００６９】
１０…紙葉類（カード）
２０…ケース
２８…排出口
３０…押圧駆動ローラ
３１…回転軸
３２…押圧手段
４０…送出駆動ローラ
４１…回転軸
４２…原動ベルト車
４３…摘み
４５…ベルト
５０…フィードローラ
５１…回転軸
５２…従動ベルト車
５３…原動プーリ
５６…ベルト
６０…ピックアップローラ
６１…回転軸
６２…従動プーリ
６３…挙揚手段
８０…重し
【図１】
2006151547.tif 000003
【図２】
2006151547.tif 000004
【図３】
2006151547.tif 000005
【図４】
2006151547.tif 000006
【図５】
2006151547.tif 000007
【図６】
2006151547.tif 000008
【図７】
2006151547.tif 000009
【図８】
2006151547.tif 000010
【図９】
2006151547.tif 000011